(57)【特許請求の範囲】
【請求項１】
（Ａ）式（１）で示す（メタ）アクリレート化合物、
【化１】
0006715634.tif 000023
（式（１）中、ただし、ｍ＋ｎ＝２．３〜４．０であり、Ｒ1およびＲ2はそれぞれ水素原子またはメチル基である）
（Ｂ）式（２）で示すアクリレート化合物、
【化２】
0006715634.tif 000024
（Ｃ）式（３）に示すアクリレート化合物、
【化３】
0006715634.tif 000025
（式（３）中、Ｒ1およびＲ2はそれぞれフェニレン基もしくはＣnＨ2n基（ｎ＝１〜６）である。）
（Ｄ）ブタジエンと無水マレイン酸の共重合体、
（Ｅ）パーオキシエステル構造、または、ジアルキルパーオキサイド構造を有する有機過酸化物、
（Ｆ）シリカフィラー、
（Ｇ）シランカップリング剤
を含み、
前記（Ｅ）成分の有機過酸化物が、式（５）〜（７）に示す化合物を少なくとも１種以上であり、
【化４】
0006715634.tif 000026
【化５】
0006715634.tif 000027
【化６】
0006715634.tif 000028
前記（Ｇ）成分のシランカップリング剤が、エポキシ基を有するエポキシ系シランカップリング剤、およびメタクリル基を有するメタクリル系シランカップリング剤からなる群から選択される少なくとも１種であり、
前記（Ａ）成分の（メタ）アクリレート化合物の含有量が、前記（Ａ），（Ｂ），（Ｃ），（Ｄ）成分の合計質量１００質量部中、１０〜６５質量部であり、
前記（Ｂ）成分のアクリレート化合物の含有量が、前記（Ａ），（Ｂ），（Ｃ），（Ｄ）成分の合計質量１００質量部中、１５〜７０質量部であり、
前記（Ｃ）成分のアクリレート化合物の含有量が、前記（Ａ），（Ｂ），（Ｃ），（Ｄ）成分の合計質量１００質量部中、１〜６質量部であり、
前記（Ｄ）成分の共重合体の含有量が、前記（Ａ），（Ｂ），（Ｃ），（Ｄ）成分の合計質量１００質量部中、５〜３０質量部であり、
前記（Ｅ）成分の有機過酸化物の含有量が、前記（Ａ），（Ｂ），（Ｃ）成分の合計質量１００質量部中、０．５〜６質量部であり、
前記（Ｆ）成分のシリカフィラーの含有量が、樹脂組成物の各成分の合計質量１００質量部中、４０〜６５質量部であり、
前記（Ｇ）成分のシランカップリング剤の含有量が、樹脂組成物の各成分の合計質量１００質量部中、０．０５〜１質量部である樹脂組成物。
【請求項２】
前記（Ｃ）成分のアクリレート化合物が、式（４）に示すアクリレート化合物である、請求項１に記載の樹脂組成物。
【化７】
0006715634.tif 000029
【請求項３】
さらに、（Ｈ）フラックス機能を有する化合物を含有する、請求項１または２に記載の樹脂組成物。
【請求項４】
前記（Ｈ）成分のフラックス機能を有する化合物がステアリン酸である、請求項３に記載の樹脂組成物。
【請求項５】
請求項１〜４のいずれかに記載の樹脂組成物を含む非導電性ペースト（ＮＣＰ）。
【請求項６】
請求項５に記載のＮＣＰを用いた半導体装置。
【発明の詳細な説明】
【技術分野】
【０００１】
本発明は、半導体実装時にＮＣＰ（Ｎｏｎ  Ｃｏｎｄｕｃｔｉｖｅ  Ｐａｓｔｅ）として使用される樹脂組成物に関する。
【背景技術】
【０００２】
従来より、半導体実装においては、ＩＣ（Ｉｎｔｅｇｒａｔｅｄ  Ｃｉｒｃｕｉｔ）チップの電極（バンプ）が形成されている面と、基板の電極（電極パット）が形成された面とを対峙させ、ＩＣチップのバンプと基板の電極パッドとを電気的に接続するフリップチップ法が行われている。
このフリップチップ法では、電極同士の接続部分を外部から保護し、ＩＣチップと基板との線膨張係数の違いに起因する応力を緩和するために、通常、電極接続後に、アンダーフィル剤と呼ばれる液状の熱硬化性接着剤を半導体チップと基板との間に流し込み硬化させるようにする。
【０００３】
近年、ＩＣチップの微細化が急速に進んでいる。これに伴い、隣接する電極間のピッチや、半導体チップと基板との間のギャップが益々狭くなる傾向にある。このため、毛細管現象を利用してアンダーフィル剤をＩＣチップと基板との間に流し込むと、ボイドが発生したり、アンダーフィル剤の流し込みに長時間を要する等の問題が発生してしまう。
このため、ＮＣＰ（Ｎｏｎ  Ｃｏｎｄｕｃｔｉｖｅ  Ｐａｓｔｅ）と呼ばれる液状の接着剤、もしくは、ＮＣＦ（Ｎｏｎ  Ｃｏｎｄｕｃｔｉｖｅ  Ｆｉｌｍ）と呼ばれるフィルム状の接着剤を予め基板に塗布、もしくは、貼付し、その後、フィリップチップボンダー等による、加熱圧接（Ｔｈｅｒｍａｌ  Ｃｏｍｐｒｅｓｓｉｏｎ  Ｂｏｎｄｉｎｇ：ＴＣＢ）で樹脂を硬化させ、ＩＣチップのバンプと基板の電極パッドとを接続する、いわゆる先入れ法が試みられている（特許文献１参照）。
【先行技術文献】
【特許文献】
【０００４】
【特許文献１】特開２０１５−１７１６９号公報
【発明の概要】
【発明が解決しようとする課題】
【０００５】
ＮＣＰに要求される特性として、ＴＣＢを実施した際の電気的接続性およびその信頼性に優れることが求められる。
さらに、ＴＣＢ工程による実装後の耐吸湿リフロー性、耐ＨＡＳＴ（Ｈｉｇｈ Ａｃｃｅｌｅｒａｔｅｄ Ｔｅｍｐｅｒａｔｕｒｅ ａｎｄ Ｈｕｍｉｄｉｔｙ Ｓｔｒｅｓｓ Ｔｅｓｔ）性、ＴＣＢ実施時におけるステージ上でのライフを向上することが求められている。
本発明は、上記した従来技術における問題点を解決するため、上述したＮＣＰの要求特性を満たす樹脂組成物を提供することを目的とする。
【課題を解決するための手段】
【０００６】
上記の目的を達成するため、本発明は、（Ａ）式（１）で示す（メタ）アクリレート化合物、
【化１】
0006715634.tif 000002
（式（１）中、ただし、ｍ＋ｎ＝２．３〜４．０であり、Ｒ1およびＲ2はそれぞれ水素原子またはメチル基である）
（Ｂ）式（２）で示すアクリレート化合物、
【化２】
0006715634.tif 000003
（Ｃ）式（３）に示すアクリレート化合物、
【化３】
0006715634.tif 000004
（式（３）中、Ｒ1およびＲ2はそれぞれフェニル基もしくはＣnＨ2n基（ｎ＝１〜６）である。）
（Ｄ）ブタジエンと無水マレイン酸の共重合体、
（Ｅ）パーオキシエステル構造、または、ジアルキルパーオキサイド構造を有する有機過酸化物、
（Ｆ）シリカフィラー、
（Ｇ）シランカップリング剤
を含む樹脂組成物を提供する。
【０００７】
本発明の樹脂組成物において、前記（Ｃ）成分のアクリレート化合物が、式（４）に示すアクリレート化合物であることが好ましい。
【化４】
0006715634.tif 000005
【０００８】
本発明の樹脂組成物において、前記（Ｃ）成分のアクリレート化合物の含有量が、前記（Ａ），（Ｂ），（Ｃ），（Ｄ）成分の合計質量１００質量部中、１〜６質量部であることが好ましい。
【０００９】
本発明の樹脂組成物において、前記（Ｅ）成分の有機過酸化物が、式（５）〜（７）のに示す化合物を少なくとも１種以上含有することが好ましい。
【化５】
0006715634.tif 000006
【化６】
0006715634.tif 000007
【化７】
0006715634.tif 000008
【００１０】
本発明の樹脂組成物において、前記（Ｅ）成分の有機過酸化物の含有量が、前記（Ａ），（Ｂ），（Ｃ）成分の合計質量１００質量部に対して、０．５〜６質量部であることが好ましい。
【００１１】
本発明の樹脂組成物は、さらに、（Ｈ）フラックス機能を有する化合物を含有することが好ましい。
【００１２】
本発明の樹脂組成物において、前記（Ｈ）成分のフラックス機能を有する化合物がステアリン酸であることが好ましい。
【００１３】
また、本発明は、本発明の樹脂組成物を含む非導電性ペースト（ＮＣＰ）を提供する。
【００１４】
また、本発明は、本発明のＮＣＰを用いた半導体装置を提供する。
【発明の効果】
【００１５】
本発明の樹脂組成物は、ＮＣＰとして使用した際に、ＴＣＢ工程での実装性に優れ、かつ、耐吸湿リフロー性、耐ＨＡＳＴ性、ＴＣＢ実施時におけるステージ上でのライフが良好である。
【図面の簡単な説明】
【００１６】
【図１】図１は、実施例でのＴＣＢ温度プロファイルを示したグラフである。
【発明を実施するための形態】
【００１７】
以下、本発明について詳細に説明する。
本発明の樹脂組成物は、以下に示す（メタ）アクリレート化合物（（Ａ）成分）、および、アクリレート化合物（（Ｂ）成分、（Ｃ）成分）を必須成分として含有する。
【００１８】
（Ａ）式（１）で示す（メタ）アクリレート化合物、
【化８】
0006715634.tif 000009
式（１）中、ただし、ｍ＋ｎ＝２．３〜４．０であり、Ｒ1およびＲ2はそれぞれ水素原子（Ｈ）またはメチル基（ＣＨ3）である。また、ｍ＋ｎ＝２．３〜４．０である。
式（１）で示すＲ1およびＲ2がメチル基である化合物は、ＥＯ変性ビスフェノールＡジメタクリレート（２，２−Ｂｉｓ〔４−（Ｍｅｔｈａｃｒｙｌｏｘｙ  Ｅｔｈｏｘｙ）Ｐｈｅｎｙｌ〕Ｐｒｏｐａｎｅ））である。なお、「ＥＯ変性」とはエチレンオキシドユニット（−ＣＨ2−ＣＨ2−Ｏ−）のブロック構造を有することを意味する。
【００１９】
式（１）で示す（メタ）アクリレート化合物は、本発明の樹脂組成物をＮＣＰとして使用する際に、液状特性と硬化後の密着性、および、耐久性を付与する成分として作用する。
【００２０】
式（１）で示す（メタ）アクリレート化合物において、ｍ＋ｎ＝２．３〜４．０に限定する理由は、ｍ＋ｎが２．３より小さいと、粘度が高くなりやすく液状特性が低下する傾向があり、ｍ＋ｎが４．０より大きくなると、密着性、接続性が低下する傾向があるためである。
【００２１】
式（１）で示す（メタ）アクリレート化合物の含有量は、（Ａ），（Ｂ），（Ｃ），（Ｄ）成分の合計質量１００質量部中、１０〜６５質量部であることが好ましく、１３〜６０質量部であることがより好ましい。
【００２２】
（Ｂ）式（２）で示すアクリレート化合物
【化９】
0006715634.tif 000010
式（２）で示すアクリレート化合物は、ジメチロールトリシクロデカンジアクリレート（Ｄｉｍｅｔｈｙｌｏｌ  Ｔｒｉｃｙｌｏｄｅｃａｎｅ  Ｄｉａｃｒｙｌａｔｅ）である。
【００２３】
式（２）で示すアクリレート化合物は、本発明の樹脂組成物をＮＣＰとして使用する際に、液状特性、ＴＣＢ工程における硬化性、および、耐久性を付与する成分として作用する。
【００２４】
式（２）で示すアクリレート化合物の含有量は、本発明の樹脂組成物の（Ａ），（Ｂ），（Ｃ），（Ｄ）成分の合計質量１００質量部中、１５〜７０質量部であることが好ましく、２０〜６７質量部であることがより好ましい。
【００２５】
（Ｃ）式（３）に示すアクリレート化合物、
【化１０】
0006715634.tif 000011
式（３）に示すアクリレート化合物は、カプロラクトン変性エポキシアクリレートオリゴマーである。式（３）中、Ｒ1およびＲ2はそれぞれフェニル基もしくはＣnＨ2n基（ｎ＝１〜６）である。
【００２６】
式（３）で示すアクリレート化合物は、本発明の樹脂組成物をＮＣＰとして使用する際に、ＴＣＢ実施時におけるステージ上でのライフを向上させる成分として作用する。これは、式（３）で示す長鎖のアクリレート化合物を配合することで、官能基密度が若干下がるためである。
【００２７】
式（３）で示すアクリレート化合物において、Ｒ1およびＲ2はフェニル基であること、すなわち、式（４）に示すアクリレート化合物であることが耐薬品性、長期耐久性の理由から好ましい。
【化１１】
0006715634.tif 000012
【００２８】
本発明のフィルム状半導体封止剤において、前記（Ｃ）成分のシリカフィラーの含有量が、本発明のフィルム状樹脂組成物の各成分の合計質量１００質量部中、４０〜６５質量部であることが好ましく、４５〜６５質量部であることがより好ましい。
【００２９】
式（３）で示すアクリレート化合物の含有量は、本発明の樹脂組成物の（Ａ），（Ｂ），（Ｃ），（Ｄ）成分の合計質量１００質量部中、１〜６質量部であることが好ましく、２〜５質量部であることがより好ましい。
【００３０】
本発明の樹脂組成物は、（Ａ）（メタ）アクリレート化合物、（Ｂ），（Ｃ）成分のアクリレート化合物以外の（メタ）アクリレート化合物を適宜併用してもよい。併用可能な（メタ）アクリレート化合物の具体例としては、たとえば、２官能ポリエステルアクリレート化合物、ポリエステルメタクリレート化合物、ポリウレタンアクリレート化合物、ポリウレタンメタクリレート化合物、エポキシアクリレート化合物、エポキシメタクリレート化合物、２−アクリロイルオキシエチルアシッドフォスフェート、２−メタクリロイルオキシエチルアシッドフォスフェートなどのリン系（メタ）アクリレート化合物、ネオペンチルグリコールアクリレート、ネオペンチルグリコールジメタクリレートなどのグリコール系（メタ）アクリレート化合物、ジメチロールトリシクロデカンジメタクリレートなどの環状構造を有する（メタ）アクリレート、イソボニル（メタ）アクリレート、テトラヒドロフルフィル（メタ）アクリレート、フェノキシポリエチレングリコールアクリレート、ノニルフェノールＥＯ付加物アクリレート、グリシジル（メタ）アクリレート、エチルメタクリレートなどの単官能（メタ）アクリレートを適宜併用してもよい。
【００３１】
（Ｄ）ブタジエンと無水マレイン酸の共重合体
本発明の樹脂組成物は、（Ｄ）成分として、ブタジエンと無水マレイン酸の共重合体を必須成分として含有する。
ここで、ブタジエンと無水マレイン酸の共重合体は、無水マレイン酸変性されたポリブタジエン骨格を有する。
【００３２】
ブタジエンと無水マレイン酸の共重合体は、本発明の樹脂組成物をＮＣＰとして使用する際に、応力の緩和成分として作用する。
【００３３】
ブタジエンと無水マレイン酸の共重合体は、常温で液状であることが液状特性付与の理由から好ましい。
ブタジエンと無水マレイン酸の共重合体は、数平均分子量（Ｍｎ）が５００〜５０００であることが好ましく、１０００〜４０００であることがより好ましい。
【００３４】
（Ｄ）成分の共重合体の含有量は、本発明の樹脂組成物の（Ａ），（Ｂ），（Ｃ），（Ｄ）成分の合計質量１００質量部中、５〜３０質量部であることが好ましく、７〜２７質量部であることがより好ましい。
【００３５】
（Ｅ）有機過酸化物
本発明の樹脂組成物は、（Ｅ）成分として、有機過酸化物を必須成分として含有する。
（Ｅ）成分の有機過酸化物は、本発明の樹脂組成物の加熱硬化時において、（Ａ）成分のメタクリレート化合物、（Ｂ），（Ｃ）成分のアクリレート化合物、（Ｄ）成分の共重合体の反応を促進する。
【００３６】
（Ｅ）成分の有機過酸化物としては、パーオキシエステル構造、または、ジアルキルパーオキサイド構造を有する有機過酸化物を用いる。
パーオキシエステル構造、または、ジアルキルパーオキサイド構造を有する有機過酸化物としては、式（５）〜（７）に示す化合物を用いることが好ましい。
【化１２】
0006715634.tif 000013
【化１３】
0006715634.tif 000014
【化１４】
0006715634.tif 000015
式（５）に示す化合物はジクミルパ―オキサイド、式（６）に示す化合物はｔ−ブチルペロキシベンゾエート、式（７）はｔ−へキシルペロキシベンゾエートである。
上記した有機過酸化物は、１種のみを使用してもよく、２種以上を併用してもよい。
【００３７】
（Ｅ）成分の有機過酸化物の含有量は、（Ａ）成分の（メタ）アクリレート化合物、（Ｂ），（Ｃ）成分のアクリレート化合物の合計質量１００質量部に対して、０．５〜６質量部であることが好ましく、０．６〜５質量部であることがより好ましい。
【００３８】
本発明の樹脂組成物は、パーオキシエステル構造、ジアルキルパーオキサイド構造以外の構造を有する有機過酸化物を適宜併用してもよい。併用可能な有機過酸化物の具体例としては、たとえば、ベンゾイルパーオキサイド、ｐ−メンタンハイドロパーオキサイド、メチルエチルケトンパーオキサイド、ジ−２エチルへキシルパーオキシジカーボネート、１，１−ジ（ｔ−ブチルパーオキシ）−２−メチルシクロヘキサン等が挙げられる。
【００３９】
（Ｆ）シリカフィラー
（Ｆ）成分のシリカフィラーは、本発明の樹脂組成物をＮＣＰとして使用する際に、実装された半導体パッケージの信頼性を向上させる目的で必須成分として添加される。
【００４０】
（Ｆ）成分のシリカフィラーは、平均粒径が１μｍ以下であることが、狭ギャップへの浸透性、半導体チップへの衝撃防止等の理由から好ましい。
（Ｆ）成分のシリカフィラーは、平均粒径が０．１μｍ以上であることが液状特性保持の理由から好ましい。
（Ｆ）成分のシリカフィラーは、平均粒径が０．１〜０．７μｍであることがより好ましい。ここで、フィラーの形状は特に限定されず、球状、不定形、りん片状等のいずれの形態であってもよい。なお、フィラーの形状が球状以外の場合、フィラーの平均粒径とは該フィラーの平均最大径を意味する。
【００４１】
（Ｆ）成分のシリカフィラーとして、シランカップリング剤等で表面処理が施されたものを使用してもよい。表面処理が施されたシリカフィラーを使用した場合、シリカフィラーの凝集を防止する効果が期待される。
【００４２】
本発明の樹脂組成物において、（Ｆ）成分の含有量は本発明の樹脂組成物の各成分の合計質量１００質量部中、４０〜６５質量部であることが好ましく、４５〜６５質量部であることがより好ましい。
【００４３】
（Ｇ）シランカップリング剤
（Ｇ）成分のシランカップリング剤は、本発明の樹脂組成物をＮＣＰとして使用した際に、ＩＣチップや基板に対する密着性を向上させる目的で添加される。
（Ｇ）成分のシランカップリング剤としては、エポキシ系、アミノ系、ビニル系、メタクリル系、アクリル系、メルカプト系等の各種シランカップリング剤を用いることができる。これらの中でも、エポキシ基を有するエポキシ系シランカップリング剤、メタクリル基を有するメタクリル系シランカップリング剤が、密着性が高い等の理由から好ましい。
エポキシ系シランカップリング剤の具体例としては、３−グリシドキシプロピルトリメトキシシラン（商品名：ＫＢＭ４０３、信越化学株式会社製）、３−グリシドキシプロピルトリエトキシシラン（商品名：ＫＢＥ−４０３、信越化学株式会社製）、３−グリシドキシプロピルメチルジエトキシシラン（商品名：ＫＢＥ−４０２、信越化学株式会社製）、３−グリシドキシプロピルメチルジメトキシシラン（商品名：ＫＢＭ４０２、信越化学株式会社製）等が挙げられる。
メタクリル系シランカップリング剤の具体例としては、３−メタクリロキシプロピルトリメトキシシラン（商品名：ＫＢＭ５０３、信越化学株式会社製）、３−メタクリロキシプロピルメチルジメトキシシラン（商品名：ＫＢＭ５０２、信越化学株式会社製）、３−メタクリロキシプロピルメチルジエトキシシラン（商品名：ＫＢＥ５０２、信越化学株式会社製）、３−メタクリロキシプロピルトリエトキシシラン（商品名：ＫＢＥ５０３、信越化学株式会社製）等が挙げられる。
【００４４】
本発明の樹脂組成物において、（Ｇ）成分のシランカップリング剤の含有量は、本発明の樹脂組成物の各成分の合計質量１００質量部中、０．０５〜１質量部であることが好ましく、０．１〜０．８質量部であることがより好ましい。
【００４５】
本発明の樹脂組成物は、上記（Ａ）〜（Ｇ）成分以外に、以下に述べる成分を必要に応じて含有してもよい。
【００４６】
（Ｈ）フラックス機能を有する化合物
本発明の樹脂組成物において、（Ｈ）成分としてフラックス機能を有する化合物を含有することが好ましい。
（Ｈ）成分の化合物は、本発明の樹脂組成物をＮＣＰとして使用する際に、フラックス活性剤をなす成分である。（Ｈ）成分の化合物を含有させた場合、本発明の樹脂組成物をＮＣＰとして使用した際に、電気的接続性およびその信頼性が向上する。
【００４７】
（Ｈ）成分のフラックス機能を有する化合物としては、たとえば、８−キノリノール、マロン酸、コハク酸、マレイン酸、グルタル酸、スベリン酸、アジピン酸、セバシン酸、ステアリン酸等のカルボン酸類、ジフェニルグアニジン臭化水素酸塩、シクロヘキシルアミン臭化水素酸塩、ジエチルアミン塩酸塩、トリエタノールアミン臭化水素酸塩、モノエタノールアミン臭化水素酸塩等が例示される。
これらの中でも、ステアリン酸が、はんだ濡れ促進作用、ライフの安定性の理由から好ましい。
【００４８】
（Ｈ）成分の化合物を含有させる場合、その含有量は、そのフラックス活性に応じて異なるが、（Ｈ）成分として、ステアリン酸を用いる場合は、（Ａ）成分の（メタ）アクリレート化合物、（Ｂ），（Ｃ）成分のアクリレート化合物、および、（Ｄ）成分の共重合体合計質量１００質量部に対して、０．５〜７質量部であることが好ましく、１〜５質量部であることがより好ましい。
【００４９】
（その他の配合剤）
本発明の樹脂組成物は、上記（Ａ）〜（Ｈ）成分以外の成分を必要に応じてさらに含有してもよい。このような成分の具体例としては、消泡剤、表面調整剤、レオロジー調整剤、着色剤、可塑剤、分散剤、沈降防止剤等が挙げられる。
また、密着性、耐久性付与の目的でエポキシ樹脂を含有させてもよい。この目的で含有させるエポキシ樹脂は、液状エポキシ樹脂、固形エポキシ樹脂のいずれであってもよい。好ましいエポキシ樹脂は、ビスフェノールＦ型エポキシ樹脂、アミノフェノール型エポキシ樹脂である。エポキシ樹脂を含有させる場合、エポキシ樹脂硬化剤、エポキシ樹脂硬化促進剤を必要に応じて含有させる。
また、本発明の樹脂組成物の弾性率や応力を調整する目的でエラストマー類を含有させてもよく、本発明の樹脂組成物の粘度、靭性等を調整する目的でその他固形樹脂を含有させてもよい。
各配合剤の種類、配合量は常法通りである。
【００５０】
（樹脂組成物の調製）
本発明の樹脂組成物は、慣用の方法により調製することができる。例えば、（Ａ）〜（Ｇ）成分、さらに必要に応じて配合する（Ｈ）成分、ならびにその他の配合剤を添加、もしくは逐次添加し、ニーダー、３本ロール、ボールミルなどの分散装置にて分散、混合する。
【００５１】
本発明の樹脂組成物は、ＮＣＰとして使用した際に、ＴＣＢ工程での実装性に優れ、かつ、耐吸湿リフロー性、耐ＨＡＳＴ性、ＴＣＢ実施時におけるステージ上でのライフが良好である。
【００５２】
本発明の樹脂組成物は、短時間での実装が可能であり、生産性が高い。
（Ｈ）成分を含有する本発明の樹脂組成物は、フラックス効果を併せ持っており、はんだ接続性に優れる。
【００５３】
次に本発明の樹脂組成物の使用手順を以下に示す。
本発明の樹脂組成物をＮＣＰとして用いて半導体パッケージを実装する場合、ディスペンサ等を用いて、基板上の半導体チップを実装する位置へ本発明の樹脂組成物を塗布する。
次に、フリップチップボンダー等により基板上のチップ搭載位置へ加熱圧接（ＴＣＢ）によって半導体チップを実装する。ＴＣＢ条件は特に限定されないが、半導体チップサイズ、バンプ材質、バンプ数等によりＴＣＢ条件を適宜選択することができる。
加熱温度は５０〜３００℃、時間は１〜２０秒、圧力は５〜４５０Ｎであることが好ましい。
【００５４】
本発明の半導体装置は、半導体装置の製造時に、本発明の樹脂組成物をＮＣＰとして使用したものである限り特に限定されない。本発明の半導体装置の具体例としては、フリップチップ構造を有する半導体装置が挙げられる。フリップチップは、バンプと呼ばれる突起状の電極を有しており、この電極を介して基板等の電極と接続される。バンプ材質としては、はんだ、金、銅等が上げられる。フリップチップと接続される基板としてはＦＲ−４等の単層、または積層された有機基板、シリコン、ガラス、セラミックなどの無機基板があり、銅および銅上への金メッキまたはスズメッキ、はんだ層等を形成した電極が用いられる。フリップチップ構造の半導体装置としては、ＤＲＡＭ（Ｄｙｎａｍｉｃ  Ｒａｎｄｏｍ  Ａｃｃｅｓｓ  Ｍｅｍｏｒｙ）等のメモリーデバイス、ＣＰＵ（Ｃｅｎｔｒａｌ  Ｐｒｏｃｅｓｓｉｎｇ  Ｕｎｉｔ）ＧＰＵ（Ｇｒａｐｈｉｃｓ  Ｐｒｏｃｅｓｓｉｎｇ  Ｕｎｉｔ）等のプロセッサーデバイス、ＬＥＤ（Ｌｉｇｈｔ  Ｅｍｉｔｔｉｎｇ  Ｄｉｏｄｅ）等の発光素子、ＬＣＤ（Ｌｉｑｕｉｄ  Ｃｒｙｓｔａｌ  Ｄｉｓｐｌａｙ）等に使用されるドライバーＩＣ等が挙げられる。
【実施例】
【００５５】
以下、実施例により、本発明を詳細に説明するが、本発明はこれらに限定されるものではない。
【００５６】
（実施例１〜２６、比較例１〜４）
下記表に示す配合割合となるように各原料を３本ロールミルを使用して混合・分散して樹脂組成物を調製した。なお、表中の各組成に関する数値は質量部を表している。
【００５７】
樹脂組成物の調製時に使用した成分は以下の通り。
（Ａ）式（１）で示す（メタ）アクリレート化合物、
【化１５】
0006715634.tif 000016
（Ａ１）商品名ＢＰＥ−１００（式（１）中、Ｒ1およびＲ2はメチル基、ｍ＋ｎ＝２．６）、新中村化学工業株式会社製）
（Ａ２）商品名ＢＰＥ−８０Ｎ（式（１）中、Ｒ1およびＲ2はメチル基、ｍ＋ｎ＝２．３）、新中村化学工業株式会社製）
（Ａ３）商品名ＢＰＥ−２００（式（１）中、Ｒ1およびＲ2はメチル基、ｍ＋ｎ＝４．０）、新中村化学工業株式会社製）
（Ｂ）式（２）で示すアクリレート化合物
【化１６】
0006715634.tif 000017
商品名ＤＣＰ−Ａ、共栄社化学株式会社製
（Ｃ）式（４）に示すアクリレート化合物
【化１７】
0006715634.tif 000018
商品名ＥＢＥＣＲＹＬ３７０８、ダイセル・オルネクス株式会社製
（Ｄ）ブタジエンと無水マレイン酸の共重合体
無水マレイン酸変性ポリブタジエン、商品名Ｒｉｃｏｎ１３０ＭＡ１３、数平均分子量Ｍｎ２９００、（Ｃｒａｙ  Ｖａｌｌｅｙ社製）
（Ｅ）有機過酸化物
（Ｅ１）ジクミルパーオキサイド、商品名パークミル（登録商標）Ｄ、１０時間半減期温度１１６．４℃（日油株式会社製）
（Ｅ２）ｔ−へキシルペロキシベンゾエート、商品名パーへキシル（登録商標）Ｚ、１０時間半減期温度９９．４℃（日油株式会社製）
（Ｅ３）ｔ−ブチルペロキシベンゾエート、商品名パーブチル（登録商標）Ｚ、１０時間半減期温度１０４．３℃（日油株式会社製）
（Ｅ´１）ベンゾイルパーオキサイド、商品名ナイパー（登録商標）ＢＷ、１０時間半減期温度７３．６℃（日油株式会社製）
（Ｅ´２）ｐ−メンタンハイドロパーオキサイド、商品名パーメンタ（登録商標）Ｈ、１０時間半減期温度１２８℃（日油株式会社製）
（Ｆ）シリカフィラー
球状シリカ、商品名ＳＯ−Ｅ２、平均粒径０．５μｍ（株式会社アドマテックス社製）
（Ｇ）シランカップリング剤
（Ｇ１）３−グリシドキシプロピルトリメトキシシラン、商品名ＫＢＭ４０３（信越化学工業株式会社製）
（Ｇ２）３−メタクリロキシプロピルトリメトキシシラン、商品名ＫＢＭ５０３（信越化学工業株式会社製）
（Ｈ）フラックス機能を有する化合物
ステアリン酸、和光純薬工業株式会社製
（Ｉ）エポキシ樹脂
（Ｉ１）ビスフェノールＦ型液状エポキシ樹脂、商品名ＥＸＡ−８３０ＣＲＰ（ＤＩＣ株式会社製）
（Ｉ２）アミノフェノール型エポキシ樹脂、商品名６３０（三菱化学株式会社製）
【００５８】
上記の手順で調製した樹脂組成物を用いて、以下の評価を実施した。
（実装性）
上記の手順で作製した樹脂組成物をＮＣＰとして使用し、下記手順により、有機基板上にテスト用チップを実装した。
テスト用チップは、サイズが７．３ｍｍ×７．３ｍｍ×０．１２５ｍｍ（ｔ）であり、３０μｍ×３０μｍ×３０μｍのＣｕピラー上へはんだ層を形成したバンプが５４４個設けられている。
テストチップを搭載するための有機基板は、サイズが１７．０ｍｍ×１７．０ｍｍ×０．９ｍｍ（ｔ）であり、ＯＳＰ処理されたＣｕからなる電極が設けられている。
上記の手順で調製した樹脂組成物を有機基板上へディスペンサ（武蔵エンジニアリング株式会社製、商品名Ｓｕｐｅｒ  Σ  ＩＩ  Ｖ５）を用いて、２３Ｇサイズのニードルを使用してＸパターン状に塗布した。
次に、フリップチップボンダー（東レエンジニアリング株式会社製、商品名ＴＣ−３０００Ｓ）を用いて、テスト用チップと有機基板とを加熱圧接（ＴＣＢ）した。
フリップチップボンダーのステージ温度を７０℃、荷重を２５Ｎに設定し、図１に示すＴＣＢ温度プロファイルに設定した。ＴＣＢプロファイルはテスト用チップと有機基板の間に熱電対（５０μｍφ）を入れ、測定した温度履歴を使用した。
試験は、塗布後の試験片を７０℃のフリップチップボンダー上で所定の時間（１０、６０、１２０、１８０分）放置させた後、ＴＣＢにて樹脂組成物の硬化と接続を行った。ＴＣＢ後、その試験片を１６５℃にて１時間加熱して完成とした。
各放置時間毎に５試験片を作製し、以下の評価を実施した。
ＳＡＴ観察
作製した試験片を超音波探傷装置（Ｓｃａｎｎｉｎｇ  Ａｃｏｕｓｔｉｃ  Ｔｏｍｏｇｒａｐｈｙ、ＳＡＴ）を用いて反射法にてボイド/デラミネーションを観察した。所得画像上に白色様の陰影が確認されたものを不良品とした。表中の記載は、不良品サンプル数／測定サンプル数を示している（以下、同様）。
抵抗値
作製した試験片の抵抗値を、基板上に設けられた抵抗値測定パッドを用いて抵抗値を測定した。１サンプルでも不合格があった場合は接続状態が×とした。２８〜３２Ωの抵抗値を示したものを合格とし、２８Ω未満若しくは３２Ω超の抵抗値を示したものを不良品とした。
【００５９】
（吸湿リフロー試験）
上記の手順で作製した試験片（５試験片）を３０℃／６０％ＲＨの条件下（ＪＥＤＥＣ  ｌｅｖｅｌ３（ＭＲＴ  Ｌ．３）吸湿条件）で１９２時間放置し吸湿させた。その後、最高到達温度２６０℃のリフロー炉を3回通過させた。吸湿リフローの実施後、上記と同様の手順で、ＳＡＴ観察と、抵抗値の測定を実施した。
【００６０】
（ＨＡＳＴ試験）
吸湿リフロー試験を実施した試験片（５試験片）を１３０℃／８５％ＲＨの条件下で１６８時間放置した後、上記と同様の手順で、ＳＡＴ観察と、抵抗値の測定を実施した。
【表１】
0006715634.tif 000019
【００６１】
【表２】
0006715634.tif 000020
【００６２】
【表３】
0006715634.tif 000021
【００６３】
【表４】
0006715634.tif 000022
【００６４】
実施例１〜２６は、いずれも実装性試験、吸湿リフロー試験、ＨＡＳＴ試験の結果が良好であった。なお、実施例１，２は、（Ｇ）成分のシランカップリング剤を変えた実施例である。実施例４〜７は、（Ｅ）成分の有機過酸化物を変えた実施例である。実施例８，９は、（Ａ）成分のメタクリレート化合物を変えた実施例である。実施例１１〜２０は、各成分の配合割合を変えた実施例である。実施例２１，２２は、（Ｉ）成分としてエポキシ樹脂を加えた実施例であり、実施例２３，２４，２６は、（Ｈ）成分として、フラックス機能を有する化合物をさらに加えた実施例である。実施例２５は、（Ｉ）成分は加えずに、（Ｈ）成分を加えた実施例である。
比較例１は、（Ｇ）成分のシランカップリング剤を含有しない例であり、吸湿リフロー試験（１０分放置）で１試験片のＳＡＴ観察、抵抗値が不良品となった。また、吸湿リフロー試験（１８０分放置）で１試験片のＳＡＴ観察が不良品となった。そのため、ＨＡＳＴ試験は実施しなかった。
比較例２，３は、（Ｅ´１）成分、（Ｅ´２）成分として、パーオキシエステル構造、ジアルキルパーオキサイド構造を持たない有機過酸化物を使用した例であり、実装性評価（ＳＡＴ観察、抵抗値）が５試験片全て不良品となった。そのため、吸湿リフロー試験、ＨＡＳＴ試験は実施しなかった。
比較例４は、（Ｄ）成分の共重合体を含まない例であり、実装性評価（１８０分放置）でＳＡＴ観察、抵抗値が５試験片全て不良品となった。そのため、吸湿リフロー試験、ＨＡＳＴ試験は１８０分放置の試験片では実施せず、１２０分放置の試験片について実施した。
【図１】
0006715634.tif 000030